(57)【要約】      （修正有）【課題】  棚の奥も手前もなく、常に利用したい食材を無駄なく目視しながら、利用できるようにした冷蔵庫内の円形回転棚を提供する。【解決手段】  冷蔵庫の棚を円形にし、回転できるようにする、また、円形部の外側に当たる部分に、冷蔵や冷凍機能のための機器を収納でき、冷蔵庫全体の形は利用場所に合った四角形（またはほぼ四角形）にする。【選択図】図１
2005147657.tif 000002
【特許請求の範囲】
【請求項１】
冷蔵庫内の棚を円形にし、回転できるようにようにする。
【請求項２】
回転の方法は、冷蔵庫の用途、大きさ及び使い勝手により次の２つがある。
（イ）手、指を使って棚を回転させる。図１のようにローラー（ベアリングを含む：以下ロラーと総称して言う）を円形の棚の下部に設置することで、転がり摩擦の負荷程度で棚を回すことができる。
なお、ローラーの設置箇所は、冷蔵庫の利用状況により、１つ、２つ、３つ・・・と円形の設置箇所を増やしていくことで、スムーズな回転をさせることができる。
（ロ）棚の回転にモーターを使う。これには２つの方法があり、（イ）の手、指の替わりにモーターを駆動系にし、ローラー上の棚に駆動力を伝え回転させる。もうひとつは、棚の外縁部または下部にリニアモーターを設置し、棚をモターの回転部分の一部とする。
【発明の詳細な説明】
【発明の詳細な説明】
【技術分野】
【０００１】  この発明は、冷蔵庫内の棚を円形にし、回転できるようにようにすることにより冷蔵庫内の奥にある物を取り出しやすくするものである。ただし、完全に円形だけの棚だと冷蔵庫内の物の取り出しが困難になるので（扉側の開口部分が狭くなるため）、冷蔵庫の扉側部分には円形の外側に固定の棚を設ける（扉の構造に合うように）。なお、回転棚の下部にも回転棚の支持のために固定棚が必要である。
【背景技術】
【０００２】  従来の冷蔵庫は、その棚が四角（物によっては、ほぼ四角）であったため、冷蔵庫に収納された時期が前の物ほど奥に追いやられ、収納時期が相対的に遅い物が前の方（扉側）に置かれてしまっていた。このため、相対的に収納時期が早いものが賞味期限（消費期限）切れや、黴（かび）の発生、腐敗してしまうことが、多かった。また、そうならぬとしても、冷蔵庫内の奥にある物を取り出すのは、冷蔵庫の扉側から見て冷蔵庫内の手前の方にある物を移動しなければならなく、非常な労力を要したし、奥が見えにくいという困難さがあった（業務用冷蔵庫においては、特にそうであった）。
【発明が解決しようとする課題】
【０００３】  したがって、各冷蔵庫メーカーとも利用者の利便性を十分に満足させる冷蔵庫を作り得なかったことにより、利用者に十分な充足感を与えることができなかったばかりか、本来食されているべき食品が、食されぬまま廃棄物となり、地球環境全体に悪影響を与え、不適切な食の保存が行われていたと言わざるを得ない。
本発明は、利用者の充足感を満たすとともに、地球環境の改善に少なからずとも貢献するものとなるのである。
【課題を解決するための手段】
【０００４】
【０００５】のとおり、冷蔵庫の棚を円形にし、回転できるようにすることにより、棚の奥も手前もなく、常に利用したい食材を無駄なく目視しながら、利用できることにより、課題を解決できる。また、円形部の外側で扉側から奥側に当たる部分には、冷蔵や冷凍機能のための機器を収納でき、冷蔵庫本体は利用場所に合った四角形（または、ほぼ四角形）にできる。
【図１】
2005147657.tif 000003
【図２】
2005147657.tif 000004
【図３】
2005147657.tif 000005
【手続補正書】
【提出日】平成17年1月25日(2005.1.25)
【手続補正２】
【補正対象書類名】明細書
【補正対象項目名】全文
【補正方法】変更
【補正の内容】
【発明の詳細な説明】
【技術分野】
【０００１】  この発明は、冷蔵庫内の棚を円形にし、回転できるようにすることにより冷蔵庫内の奥にある物を取り出しやすくするものである。ただし、完全に円形だけの棚だと冷蔵庫内の物の取り出しが困難になるので（扉側の開口部分が狭くなるため）、冷蔵庫の扉側部分には円形の外側に固定の棚を設ける（扉の構造に合うように）。なお、回転棚の下部にも回転棚の支持のために固定棚が必要である（図１〜３参照）。
【背景技術】
【０００２】  従来の冷蔵庫は、その棚が四角（物によっては、ほぼ四角）であったため、冷蔵庫に収納された時期が前の物ほど奥に追いやられ、収納時期が相対的に遅い物が前の方（扉側）に置かれてしまっていた。このため、相対的に収納時期が早いものが賞味期限（消費期限）切れや、黴（かび）の発生を起こしたり、腐敗してしまうことが多かった。また、そうならぬとしても、冷蔵庫内の奥にある物を取り出すのは、冷蔵庫の扉側から見て冷蔵庫内の手前の方にある物を移動しなければならなく、非常な労力を要したし、奥が見えにくいという困難さがあった（業務用冷蔵庫においては、特にそうであった）。
【発明が解決しようとする課題】
【０００３】  したがって、各冷蔵庫メーカーとも利用者の利便性を十分に満足させる冷蔵庫を作り得なかったことにより、利用者に十分な充足感を与えることができなかったばかりか、本来食されているべき食品が、食されぬまま廃棄物となり、地球環境全体に悪影響を与え、不適切な食の保存が行われていたと言わざるを得ない。  本発明は、利用者の充足感を満たすとともに、地球環境の改善に少なからずとも貢献するものとなるのである。
【課題を解決するための手段】
【０００４】  （０００１）のとおり、冷蔵庫の棚を円形にし、回転できるようにすることにより、棚の奥も手前もなく、常に利用したい食材を無駄なく目視しながら、利用できることにより、課題を解決できる。また、円形部の外側で扉側から奥側に当たる部分には、冷蔵や冷凍機能のための機器を収納でき、冷蔵庫本体は設置場所に合った四角形（または、ほぼ四角形）にできる。
【図面の簡単な説明】
【０００５】
【図１】平面図（回転棚及びその周辺部  円形の回転棚の下部にローラー（ベアリング）を設置し、回転できるようにする。固定棚は扉側半分の長方形部分から回転棚後方の半円に及ぶまで、回転棚の支持部分として設置する。  扉側から見て回転棚の後方部分を差し引いた部分は、冷蔵庫への収納物を置くところではなく、冷蔵・冷凍機器収納部として利用するスペースにすることが可能である。ただし、冷蔵庫収納物が引っかからないように、プラスチック板または合成樹脂板等で垂直方向に隔壁を設けなければならない。
【図２】断面図（図１の平面図におけるＡ−Ｂ間の断面図）  固定棚の上にローラー（ベアリング）が乗り、その上に回転棚が乗っている様子を図示している。回転棚の左右の端の部分は、固定棚の内側になるようにし、容易に外れないようにする。
【図３】斜視立体イメージ図  冷蔵庫内での回転棚の位置がわかりやすいように、斜視立体図で表現している。  図１におけるＡ−Ｂよりも奥側には隔壁があり、冷蔵・冷凍機能機器収納可能か所となる。回転棚の下の部分と扉側部分の円形から外れている部分が、固定棚である。これは、イメージ図であり、冷蔵庫の形状により１段の棚、２段、３段，４段・・・・と、段数はその冷蔵庫によって変わってくる。  なお、実際の回転棚は言うまでもなく円形である。
【符号の説明】
【０００６】  Ａ：冷蔵庫の扉側から見て左側側面の床に対して平行な直線の中点である。  Ｂ：冷蔵庫の扉側から見て右側側面の床に対して平行な直線の中点である。
【手続補正３】
【補正対象書類名】図面
【補正対象項目名】全図
【補正方法】変更
【補正の内容】
【図１】
2005147657.tif 000006
【図２】
2005147657.tif 000007
【図３】
2005147657.tif 000008